(57)【要約】【課題】シールド線があおられても、ドレイン線・グランドシェル間の接続が解除されることなく十分なシールド効果が得られるようにする。【解決手段】グランドシェル３００内に、信号線用内部コアとドレイン線用内部コア１００とを保持収容する。ドレイン線用内部コア１００は、ドレイン線用コンタクト１１０と、これを保持するドレイン線用内部ハウジング１２０とを有する。ドレイン線用内部ハウジング１２０には内外を貫通するグランドシェル接続用孔１２１が明けられており、一方、グランドシェル３００には、この孔を通してドレイン線用コンタクト１１０に加圧接触するコンタクト接続用ばね３３０が設けられている。【選択図】図１
2007141661.tif 000002
【特許請求の範囲】
【請求項１】
ドレイン線を有するシールド線を、接続相手方に接続するためのシールド線用コネクタであって、前記シールド線の信号線と接続する信号線用内部コアと、前記シールド線のドレイン線と接続するドレイン線用内部コアと、これら信号線用内部コア及びドレイン線用内部コアを内側に保持するグランドシェルとを備えて成り、前記ドレイン線用内部コア及びグランドシェルそれぞれが次の各構成、構造を有することを特徴とするシールド線用コネクタ。
ドレイン線用内部コアの構成
（イ）前記シールド線のドレイン線と接続するドレイン線用コンタクト
（ロ）前記ドレイン線用コンタクトを内側に保持し、このドレイン線用コンタクトに前記グランドシェルを電気的に接続させるための貫通孔が明けられたドレイン線用内部ハウジング
グランドシェルの構成
（イ）前記ドレイン線用内部コア及び信号線用内部コアを保持する内部コア保持部
（ロ）前記ドレイン線用内部ハウジングの貫通孔を通して前記ドレイン線用コンタクトに加圧接触するコンタクト接続用ばね
【請求項２】
前記グランドシェルを内側に保持してグランドシェルの外側を絶縁する外部ハウジングを有することを特徴とする
請求項１記載のシールド線用コネクタ。
【請求項３】
前記ドレイン線用コンタクトは、ドレイン線との接続部分に、ドレイン線保持部を有する構造である
請求項１または請求項２に記載のシールド線用コネクタ。
【発明の詳細な説明】
【技術分野】
【０００１】
本発明はシールド線用コネクタに関し、特にドレイン線の有るシールド線を接続するためのシールド線用コネクタに関する。
【背景技術】
【０００２】
シールド線の代表的な種類としては、そのシールド部分が、単にシールドだけのものと、シールドのほかにこのシールドと接続するドレイン線を有する構造のものとがある。
本発明はこれらシールド線のうちの後者を対象とするものである。このようなシールド線用コネクタの背景技術における代表的な例を図３に示す。
【０００３】
まず、シールド線についてもう少し詳しくその構造について説明すると、図３に示されている例（シールド線８００）では、シールドの内側に、２本の信号線８１０−１，８１０−２が配置されており、これら２本の信号線８１０−１，８１０−２の外側を図示されていないシールドで覆っている。このシールドにそってこれに接続されたドレイン線８２０Ｄが延在しており、これらシールド及びドレイン線８２０Ｄを外部被覆８３０で覆っている構造となっている。
【０００４】
このようなシールド線８００の、先端部分に接続されるコネクタ（背景技術における第１の例）は、それぞれの信号線８１０−１，８１０−２に信号線用内部コア２００が接続され、その外側をグランドシェル３００ｘで覆ってこれらを保持し、その他端側で、シールド線８００の外部被覆８３０をシールド線外被保持部３２０ｘで保持すると同時に、ドレイン線８２０Ｄを外被との間に挟み込んでこれと電気的に接続する構造となっている。
【０００５】
信号線用内部コア２００について更に詳細に説明すると、信号線８１０−１の先端に電気的に接続される信号線用コンタクト２１０と、これを保持する信号線用内部ハウジング２２０とを有しており、信号線用コンタクト２１０は、信号線８１０−１の先端部分でこれを電気的に接続するための信号線接続部２１１と、先端部分の被覆を挟持して保持する信号線被覆保持部２１２と、相手側コネクタのコンタクトと電気的に接触、接続するコンタクト部２１３とを備えた構造となっている。
なお、信号線８１０−２に対しても同一構造のものが接続され、これらが、グランドシェル３００ｘで保持される。
【０００６】
次に、背景技術における第２の例について、図４（ａ），（ｂ）を参照しながら説明する。
このシールド線用コネクタは、同軸型のシールド線（電線Ｗ）に電気的接続されるコネクタであって、電線Ｗは、外部被覆１０と、その内側のシールド編組１１と、更にその内側の内部被覆１２及び芯線１３とから成り、この電線Ｗの内部被覆１２及び芯線１３部分が、内部端子７の芯線接続部１５に押し込まれて、内部被覆１２を破って芯線１３が電気的に接続されるようになっている。
【０００７】
そして、内部端子７は、その電気接続部１４を絶縁体８の保持筒１７に明けられた孔１９に挿通され、この状態で外部端子９に挿入、保持される。外部端子９には、絶縁体８の保持筒１７部分を収容保持する保持体収容部２３と、シールド挟持片２５及び外被挟持片２６とが設けられており、シールド挟持片２５に電線Ｗのシールド編組１１を保持し、また外被挟持片２６に電線Ｗの外部被覆１０を保持、固定するようになっている。
【０００８】
この外部端子９まで組立てられた部分が、図４（ｂ）に示されるように、コネクタハウジングＡ内に挿入されて保持され、更に、アースプレート２８が、外部端子９と電気的に接続され、かつ、その一部が相手側のアース片に接続されるように配置されている（例えば、特許文献１参照）。
【特許文献１】特開平１１−１０２７５２号公報（図１，図６）
【発明の開示】
【発明が解決しようとする課題】
【０００９】
上述した背景技術における第１の例では、グランドシェル３００ｘのシールド線外被保持部３２０ｘで、シールド線８００を、その外部被覆８３０の端部分で挟持すると同時にドレイン線８２０Ｄを折り曲げて挟み込んで保持しかつドレイン線８２０Ｄとグランドシェル３００ｘとの間を電気的に接続する構造となっているので、シールド線８００があおられたときに、この挟持、接続部分において、ドレイン線８２０Ｄとグランドシェル３００ｘとの間の電気的接続が解除されてしまう危険性があり、またドレイン線にコンタクトを圧着して、シールドラインの確保を行った場合、コア部分のシールド性が確保できなくなる、という問題点があった。
【００１０】
また、第２の例においては、その形状、構造が複雑である上、アースプレート２８におけるシールド線の挟持、保持部分における構造は第１の例と同様に電線端末部分で挟持することにより接続する構造であるので第１の例と同様の問題点がある。
【００１１】
本発明の目的は、上記背景技術の問題点に鑑みて、ドレイン線、シールドとグランドシェルとの間の電気的接続が解除されにくく、かつシールド線のシールド効果を十分確保することができるシールド線用コネクタを提供することにある。
【課題を解決するための手段】
【００１２】
本発明のシールド線用コネクタは、ドレイン線を有するシールド線を、接続相手方に接続するためのシールド線用コネクタであって、前記シールド線の信号線と接続する信号線用内部コアと、前記シールド線のドレイン線と接続するドレイン線用内部コアと、これら信号線用内部コア及びドレイン線用内部コアを内側に保持するグランドシェルとを備えて成り、前記ドレイン線用内部コア及びグランドシェルそれぞれが次の各構成、構造を有することを特徴とする。
ドレイン線用内部コアの構成
（イ）前記シールド線のドレイン線と接続するドレイン線用コンタクト
（ロ）前記ドレイン線用コンタクトを内側に保持し、このドレイン線用コンタクトに前記グランドシェルを電気的に接続させるための貫通孔が明けられたドレイン線用内部ハウジング
グランドシェルの構成
（イ）前記ドレイン線用内部コア及び信号線用内部コアを保持する内部コア保持部
（ロ）前記ドレイン線用内部ハウジングの貫通孔を通して前記ドレイン線用コンタクトに加圧接触するコンタクト接続用ばね
【００１３】
また、前記グランドシェルを内側に保持してグランドシェルの外側を絶縁する外部ハウジングを有することを特徴とする、前記シールド線用コネクタである。
【００１４】
更にまた、前記ドレイン線用コンタクトは、ドレイン線との接続部分に、ドレイン線保持部を有する構造である、前記シールド線用コネクタである。
【発明の効果】
【００１５】
本発明においては、グランドシェルでシールド線の端の部分を挟持することによりそのドレイン線と電気的に接続するような構造としなくて済み、シールド線があおられてもドレイン線とグランドシェルとの間の電気的接続が解除される危険性は無く、シールドライン及びコネクタ部分のシールド効果を十分確保することができる、という効果がある。
【発明を実施するための最良の形態】
【００１６】
本発明を実施するための最良の形態は、シールド線の信号線と接続する信号線用内部コアと、上記シールド線のドレイン線と接続するドレイン線用内部コアと、これら信号線用内部コア及びドレイン線用内部コアを保持するグランドシェルとを含んで構成され、上記ドレイン線用内部コアを、ドレイン線用コンタクトと、これを保持するドレイン線用内部ハウジングとで形成し、かつこのドレイン線用内部ハウジングには内外間で貫通する貫通孔を明け、一方、上記グランドシェルには、この貫通孔を通して上記ドレイン線用内部コアのドレイン線コンタクトに加圧接触するコンタクト接続用ばねを設けた構造となっている。
そして、信号線用内部コア及びドレイン線用内部コアを保持したグランドシェルは、その外側を絶縁するように、外部ハウジングで保持されるようになっている。
【実施例】
【００１７】
次に本発明の実施例について図面を参照して説明する。
図１（ａ），（ｂ）は本発明の一実施例を説明するためのシールド線用コネクタ全体の断面側面図及びドレイン線用内部コア部分の断面側面図、図２はそのグランドシェルに保持されている、ドレイン線用内部コアの向側（図１では表示できない）に配置されている信号線用内部コアの断面側面図である。
【００１８】
この実施例におけるシールド線用コネクタは、シールド線８００の信号線８１０−１，８１０−２が接続された２つの信号線用内部コア２００と、シールド線８００のドレイン線８２０Ｄが接続されたドレイン線用内部コア１００と、これらドレイン線用内部コア１００及び２つの信号線用内部コア２００を内側に保持するグランドシェル３００と、このグランドシェル３００を内側に保持して、その外側を囲うように配置された外部ハウジング４００とを含んで構成され、各部の更なる詳細は次のとおりとなっている。
【００１９】
まず、図２に示されている信号線用内部コア２００は、背景技術における第１の例の信号線用内部コア２００と同一であるので、その説明は省略する。
次に、グランドシェル３００内に、２つの信号線用内部コア２００と共に、保持されているドレイン線用内部コア１００は、シールド線８００のドレイン線８２０Ｄを接続するドレイン線接続部１１１及びこのドレイン線８２０Ｄを挟持するドレイン線挟持部が設けられているドレイン線用コンタクト１１０と、このドレイン線用コンタクト１１０を内側に保持、収容し、内側、外側間で貫通する貫通孔が明けられて、この貫通孔をグランドシェル接続用孔１２１とするドレイン線用内部ハウジング１２０と、を備えた構造となっている。
【００２０】
また、グランドシェル３００は、２つの信号線用内部コア２００及びドレイン線用内部コア１００を内側に保持収容する内部コア保持部３１０と、ドレイン線用内部ハウジング１２０のグランドシェル接続用孔１２１を通して、その内側に保持されているドレイン線用コンタクトに加圧接触するコンタクト接続用ばね３３０、シールド線８００、端末部分の外部被覆８３０を挟持するシールド線外被保持部３２０と、を備えた構造となっている。
【００２１】
この実施例では、シールド線８００のドレイン線８２０Ｄを、信号線８１０−１，８１０−２の接続を同様に、内部コア（１００）内のコンタクト（１１０）に接続する構造となっていて、背景技術の例のように、ドレイン線８２０Ｄを、シールド線８００の端末部分で折り返して外部被覆８３０との間に挟み込み保持するような構造ではないので、シールド線８００のあおりなどで、外的な力が加わった場合でも、グランドシェル３００とドレイン線８２０Ｄとの間の接続が解除される危険性は極めて低くく、また、グランドシェル３００装着によりドレイン線とグランドシェルとの間の接続もコンタクト接続用ばね３３０により確実に行われるので、内部コア部分のシールド効果も十分確保することができる。
【００２２】
この実施例においては、シールド線８００が２本の信号線８１０−１，８１０−２を有する構造となっているので、２つの信号線用内部コア２００を、ドレイン線用内部コア１００と共にグランドシェル３００内に保持する構成、構造としたが、グランドシェル３００内に保持する信号線用内部コアの数は、シールド線に含まれる信号線の数や、接続する信号線の数に応じて設けるようにすればよい。
【００２３】
また、外部ハウジング４００は、使用する周囲の状況によっては、必要ない場合もあるが、安全性の点から考えると、この外部ハウジングによりグランドシェルの周囲を囲っておいた方が良い。
【図面の簡単な説明】
【００２４】
【図１】本発明の一実施例を説明するためのコネクタ全体の構造を示す断面側面図及びそのドレイン線用内部コア部分の断面側面図である。
【図２】図１に示された実施例における、グランドシェルに保持されるドレイン線用内部コアの向側に配置されている信号線用内部コア部分の断面側面図である。
【図３】背景技術における第１の例のシールド線用コネクタの断面側面図である。
【図４】背景技術における第２の例の、内部コア部分の分解斜視図及びコネクタ全体の断面側面図である。
【符号の説明】
【００２５】
７  内部端子
８  絶縁体
９  外部端子
１０  外部被覆
１１  シールド編組
１２  内部被覆
１３  芯線
２８  アースプレート
１００  ドレイン線用内部コア
１１０  ドレイン線用コンタクト
１１１  ドレイン線接続部
１１２  ドレイン線挟持部
１２０  ドレイン線用内部ハウジング
１２１  グランドシェル接続用孔
２００  信号線用内部コア
２１０  信号線用コンタクト
２２０  信号線用内部ハウジング
３００，３００ｘ  グランドシェル
３１０，３１０ｘ  内部コア保持部
３２０，３２０ｘ  シールド線外被保持部
３３０  コンタクト接続用ばね
４００  外部ハウジング
８００  シールド線
８１０−１  信号線
８１０−２  信号線
８２０Ｄ  ドレイン線
８３０  外部被覆
Ａ  コネクタハウジング
Ｗ  電線
【図１】
2007141661.tif 000003
【図２】
2007141661.tif 000004
【図３】
2007141661.tif 000005
【図４】
2007141661.tif 000006